(57)【要約】【課題】小型の振動発生器でも遊技者の手の平に充分な強さの振動が伝達されるようにし遊技を盛り上げられるパチンコ遊技機の打球発射操作ハンドルを提供する。【解決手段】打球発射力を調整するための操作レバー１７が外周に回転自在に設けられ略球面状に形成されたハンドル本体１２の前面に略円形の開口３４を開設し、該ハンドル本体の表面と連なり前方に突出する略球面状に形成された振動伝達盤３０を該開口中に弾性部材３５を介在させて装着し、電磁コイル４２と永久磁石４３とを接近状態で対向させてなる電磁振動発生器３６を該ハンドル本体内に設けその振動を前記振動伝達盤に伝達する。【選択図】　図３
2004081594.tif 000002
【特許請求の範囲】
【請求項１】
打球発射力を調整するための操作レバーが外周に回転自在に設けられ略球面状に形成されたハンドル本体の前面に略円形の開口を開設し、該ハンドル本体の表面と連なり前方に突出する略球面状に形成された振動伝達盤を該開口中に弾性部材を介在させて装着し、電磁コイルと永久磁石とを接近状態で対向させてなる電磁振動発生器を該ハンドル本体内に設けその振動を前記振動伝達盤に伝達させることを特徴としたパチンコ遊技機の打球発射操作ハンドル。
【発明の詳細な説明】
【０００１】
【発明の属する技術分野】
本発明は、一部が振動するように構成されたパチンコ遊技機における打球発射操作ハンドルに関するものである。
【０００２】
【従来の技術】
パチンコ遊技機の打球発射操作ハンドルに振動発生器を設け、遊技進行中の適時に該ハンドルを振動させることで、遊技者に触感で興奮状態を伝え、遊技をより盛り上がらせるようにする振動発生器付きの打球発射操作ハンドルは、本発明者等の特許出願によってすでに知られている。
【０００３】
【発明が解決しようとする課題】
ところで従来の上記打球発射操作ハンドルの内部空間は大型の振動発生器を設ける余裕はないので、小型の振動発生器にて遊技者が手に充分な強さの振動を伝達させる必要があるが、従来構造では振動部分がハンドルの前面全体であったり大部分を振動させるものであったので、充分な強さの振動が伝達できない欠点があり、遊技者に与えるインパクトが未だ十分ではなかった。
【０００４】
本発明は上記課題に鑑みてなされたもので、ハンドル本体の前面の一部だけが振動するようにすることで、小型の振動発生器でも遊技者の手の平に充分な強さの振動が伝達されるようにし遊技を盛り上げられるパチンコ遊技機の打球発射操作ハンドルを提供するものである。
【０００５】
【課題を解決するための手段】
そのために本発明に係るパチンコ遊技機の打球発射操作ハンドルは、打球発射力を調整するための操作レバーが外周に回転自在に設けられ略球面状に形成されたハンドル本体の前面に略円形の開口を開設し、該ハンドル本体の表面と連なり前方に突出する略球面状に形成された振動伝達盤を該開口中に弾性部材を介在させて装着し、電磁コイルと永久磁石とを接近状態で対向させてなる電磁振動発生器を該ハンドル本体内に設けその振動を前記振動伝達盤に伝達させることを特徴とする。
【０００６】
【発明の実施の形態】
次に本発明の実施の形態を図面に基づき説明する。図１は本発明が適用されるパチンコ遊技機の正面図で、１は窓孔２に遊技盤３が配設されたガラス扉枠、４は該ガラス扉枠の下に設けられ前面に発射用のパチンコ球を供給する球受皿（上皿）５が形成された前面下部板、６は該前面下部板のさらに下部に設けられ前面に該球受皿５から溢れたパチンコ球が貯留される球受皿（下皿）７が設けられ右端部には打球発射操作ハンドル８が設けられた前面下部板である。なお、ガラス扉枠１の表面は火山の噴火口を想起させる凹凸状の意匠が施されている。
【０００７】
上記打球発射操作ハンドル８は、図２〜図４に示したように、基部１０と前面カバー部１１とを合着することにより略球面状（詳しくは一側に延びる雲形）にハンドル本体１２が形成され、該基部１０は前記前面下部板６の前面にビス１３により固着され、該基部１０内に設けられた通信コネクタ１４を前面下部板６に設けられた対コネクタ１５に合致させている。基部１０の前面には軸受１６を設け環状の操作レバー１７を回転自在に支持するとともに、操作レバー１７の前方に取付板１８を介して前面カバー部１１をビス１９によって固着している。そして該取付板１８の中心に可変抵抗器２０をナット２１によって固定し、該可変抵抗器の回転軸２２をカラー２３を介して操作レバー１７の中心部に固着している。また該取付板１８の一側には単発用スイッチ２４およびその操作ボタン２５が設けられ、該取付板１８の外周縁には円弧状の導電性部材２６が固着される。このため、導電性部材２６を手指でタッチし操作レバー１７を操作しその回転角度を調整することにより可変抵抗器２０の抵抗値が変わり、該可変抵抗器の信号が打球発射装置（図示せず）に伝達されることで、遊技盤上に打ち出される打球の発射力が自在に調整される。なお、２７は操作レバー１７の回転を戻すために設けられたコイルバネである。
【０００８】
３０は振動伝達盤で、該振動伝達盤は、前面が前記前面カバー部１１と略々同じ曲率の球面状に形成された透明プラスチック盤３１と、前面に該透明プラスチック盤３１の前方より透視し得る凹凸模様３２が形成されたプラスチック製の意匠盤３３とからなり、該意匠盤３３を透明プラスチック盤３１の背面に重合して一体に組み立てられている。
また、前記前面カバー部１１は可変抵抗器２０や単発用スイッチ２４を包囲するべく略球面状に形成されているとともに、その前面に略円形の開口３４が開設され、該開口中に振動伝達盤３０を遊嵌し、ゴム製のＯリングからなる弾性部材３５を該開口の後縁と該振動伝達盤３０との間に介在させる。これにより該振動伝達盤３０は前面カバー部１１の略球面状の表面と連なり前方に略球面状に突出する形態となる。
【０００９】
３６はハンドル本体１２内に設けられた電磁振動発生器である。該電磁振動発生器は、図５にも示したように、前面カバー部１１の背面に突設された３本の取付軸３７に夫々ビス３８によって弾性を有する金属製の薄板３９を固着し、該金属板３９の前面に円筒体４０を固着し、該円筒体の中心に弾性板４１および電磁コイル４２を設け、永久磁石４３が固着された円盤状の磁鉄ヨーク４４を弾性プラスチックからなる環状支持片４５によって該円筒体４０の外周縁に支持することで、電磁コイル４２と永久磁石４３とを接近状態で対向させてなる。そして、ビス３８を螺締することで該円筒体４０の外周縁を前記振動伝達盤３０の外周縁に圧着している。なお、４４は環状支持片４５に形成された位置決めピンである。
【００１０】
このため、電磁コイル４２に数Ｈｚ〜数十Ｈｚの低周波電流を印加すると、その電磁作用によって発生した振動が円筒体４０を介して振動伝達盤３０に伝達され、該振動伝達盤を振動させるので、遊技者がこのハンドル本体１２を握っておれば手の平によってその振動が感じられる。上記のように振動伝達盤３０は略球面状に前方に突出する形態で質量を比較的小さくできるものであるので、小型の電磁振動発生器によっても充分に強く振動させることができ、遊技者に強烈なインパクトを与えることができる。なお、弾性部材３５を介在させて振動伝達盤３０を開口３４に装着したことでは、該開口３４中における該振動伝達盤３０の拘束を軽減し自由な振動を促す。
【００１１】
また、遊技者の手の平に振動が伝達されることで、遊技者の手指に与える振動を小さくできるので、操作レバー１７の回転角度を指先で微調整することの妨害となるおそれがなく操作性を害しない。
【００１２】
【発明の効果】
このように、本発明に係る打球発射操作ハンドルは、打球発射力を調整するための操作レバーが外周に回転自在に設けられ略球面状に形成されたハンドル本体の前面に略円形の開口を開設し、該ハンドル本体の表面と連なり前方に突出する略球面状に形成された振動伝達盤を該開口中に弾性部材を介在させて装着し、電磁コイルと永久磁石とを接近状態で対向させてなる電磁振動発生器を該ハンドル本体内に設けその振動を前記振動伝達盤に伝達するものであるので、遊技中の遊技者の手の平に充分な強さの振動が伝達され、遊技が盛り上げられる効果がある。
【図面の簡単な説明】
【図１】本発明の実施形態を示すパチンコ遊技機の正面図。
【図２】本発明の実施形態を示す打球発射操作ハンドルの斜視図。
【図３】図２の打球発射操作ハンドルの縦断面図。
【図４】図２の打球発射操作ハンドルの分解斜視図。
【図５】図２の打球発射操作ハンドルの前面カバー部の内面の斜視図。
【符号の説明】
８　　　打球発射操作ハンドル
１０　　基部
１１　　前面カバー部
１２　　ハンドル本体
１７　　操作レバー
２０　　可変抵抗器
３０　　振動伝達盤
３４　　開口
３５　　弾性部材
３６　　電磁振動発生器
４２　　電磁コイル
４３　　永久磁石
【図１】
2004081594.tif 000003
【図２】
2004081594.tif 000004
【図３】
2004081594.tif 000005
【図４】
2004081594.tif 000006
【図５】
2004081594.tif 000007